(57)【特許請求の範囲】
【請求項１】
ランプキャップを具備する外バルブにより空間を介在して封止される放電容器を具備する高圧放電ランプであって、壁と内部電極とを具備し前記外バルブと前記放電容器との間の前記空間に配されるＵＶエンハンサをさらに有する高圧放電ランプにおいて、前記ＵＶエンハンサの前記壁はセラミック材料から作られており、高濃度の焼結多結晶質の酸化物又は窒化物であり、前記ＵＶエンハンサが、希ガス充填材を有し、Ｈｇを含んでいないことを特徴とする高圧放電ランプ。
【請求項２】
請求項１に記載のランプにおいて、前記ＵＶエンハンサの前記壁が高濃度の焼結多結晶質のＡｌ2Ｏ3から作られていることを特徴とするランプ。
【請求項３】
請求項１に記載のランプにおいて、前記希ガス充填材がＡｒを有することを特徴とするランプ。
【請求項４】
請求項１乃至３の何れか一項に記載のランプにおいて、前記希ガス充填材の充填圧が５０ｍｂａｒと３００ｍｂａｒとの間にあることを特徴とするランプ。
【発明の詳細な説明】
技術分野
本発明は、ランプキャップを具備する外バルブにより空間を介在して封止される放電容器を備える高圧放電ランプに関し、このランプはまた壁及び内部電極を具備し前記外バルブと前記放電容器との間の前記空間に配されるＵＶ（紫外線）エンハンサを有する。
背景技術
冒頭に述べられた種類のランプは、米国公報A-4,818,915号から知られている。この既知のランプは、高圧放電ランプ、もっと特定するとメタルハライドランプである。
このようなランプは、一般のインテリアライト、一般のエクステリアライト、ビデオ照明等のように種々の応用に適している。この既知のランプの放電容器は、石英ガラスである。しかしながら、この容器がセラミック材料でできたものも択一的に可能である。現在述べているまた特許請求の範囲にあるセラミック材料は、例えばＡｌ2Ｏ3又はＹＡＧのような高濃度の焼結多結晶質の金属酸化物及び例えばＡｌＮのような高濃度の焼結多結晶質の金属窒化物であると理解されたい。
このタイプのランプの既知の問題は、点火時間が比較的広く拡がっている事である。このことは、ランプ点火中の自由電子の不足を導く。放電容器中の少量の85Krの添加が、このような不足を補足できる。しかしながら、これの問題点は、85Krが放射性であると言うことである。ＵＶエンハンサの使用を通じてこれを避けるための努力がなされてきた。このエンハンサは、前記放電容器に隣接しＵＶ源として働く小さなＵＶ放電管である。この既知のランプの前記ＵＶエンハンサは、ＵＶ透過石英管により形成される。ブレークダウン（火花開始）されるとき、このＵＶエンハンサは、ＵＶ（紫外線）放射を発生するだろう。このＵＶ放射の影響で、前記放電容器中に自由電子を生成し、このことが次にランプ点火を強く促進する。この既知のランプの前記ＵＶエンハンサの使用が、５ｋＶ程度の点火電圧パルスが有効であり許容される状況において改善されることは、本当である。実際に起こる多くの状況では、しかしながら、前記点火電圧パルスが３ｋＶのレベルを実質的に越えるべきでないことが望ましく、又は必要とされる。
発明の開示
本発明は、上述の問題を緩和する手段を供給することを目的とする。本発明によると、冒頭に述べられた種類のランプは、この目的のために前記ＵＶエンハンサの壁がセラミック材料からできていることを特徴とする。
驚くべき事に、セラミック材料でできている壁を持つＵＶエンハンサの存在のおかげで点火パルスの印加の際のブレークダウンの可能性が、放電容器内及びＵＶエンハンサ内の両方に強く生じることがわかった。増大したブレークダウンの可能性を、信頼性あるランプ点火のために要求される最小の点火パルス値の落ち込みが明らかに示している。このことは、放電容器のためのセラミック材料の使用が、高圧放電ランプでの点火時間の拡がりについて理解できる好ましい影響を持たないということでさらに特筆できる。本発明に係るＵＶエンハンサの他の利点は、セラミック材料のとても良好な熱抵抗である。これは、前記放電容器から少ししか離れていない距離に前記ＵＶエンハンサを置くことを可能にする。本発明によるＵＶエンハンサの良好な熱抵抗はまた、セラミック放電容器を持つランプでの使用を見込める。
好ましい実施例では、ＵＶエンハンサは、高濃度の焼結多結晶質のＡｌ2Ｏ3からできている壁を有する。これが高圧放電ランプのための壁材料として広く用いられているという事実は、セラミック放電容器用に存在する技術が利用できるという主要な実際的利点を有する。非常に高い程度の小型化が、ここに可能となる。
希ガス及び水銀の組み合わせが、充填材として適切であることはわかっていたけれども、このＵＶエンハンサは好ましくは希ガス充填材を有する。就中Ｎｅが適切である。Ａｒは、充填材として特に適切である事がわかった。圧力（充填圧力）は、好ましくは最小のブレークダウン電圧を伴う充填材に対して選ばれる。この充填圧力は、実験的に容易に確かめられる。かなりの近似が、パッシェン（Ｐａｓｃｈｅｎ）曲線により実現できる。ペニング（Ｐｅｎｎｉｎｇ）混合の形態での希ガスの混合物も適している。
希ガス充填材の主要な利点は、放射性物質（85Kr）の使用だけでなく重金属（Ｈｇ）の使用もまたＵＶエンハンサの製造で排除される事である。驚くべき事に、自由電子が、希ガス充填材でのブレークダウンの際にランプ点火が強く促進されるような量生成される。前記ＵＶエンハンサは、２つの内部電極を有する放電容器として構成されてもよく、これら電極間で放電が起こる。好ましくは、前記ＵＶエンハンサは、１つの内部電極を具備し、前記放電容器への電流供給導体に関係して、前記ＵＶエンハンサと前記電流供給導体との間に容量性結合が達成できるように、外バルブにより囲まれる空間内に、取りつけられている。重要な利点は、これによりＵＶエンハンサの非常に簡単な構成が可能となったことであり、したがって更なる小型化を促進する。
本発明によるランプの上記及び他の観点が、図を参照して詳細に説明されるだろう。
【図面の簡単な説明】
第１図は、本発明によるランプの側面図であり、第２図は、第１図のランプのＵＶエンハンサを詳細に示し、第３図は、このランプの放電容器に対してのＵＶエンハンサの位置づけを概略的に示す。
発明を実施するための最良の形態
第１図は、ランプキャップ４を有する外バルブ３により空間２を介在して封止される放電容器１を具備する高圧メタルハライドランプを示す。このランプは、前記外バルブと前記放電容器との間の前記空間にＵＶエンハンサ５を有する。前記ＵＶエンハンサのリードスルー導体７０は、前記放電容器の内部電極１１をランプキャップ４に接続する電流供給導体９に接続される。他の電流供給導体８は、放電容器１の内部電極１２とランプキャップ４の他の接触ポイントとの間の電気的接続を形成する。前記ＵＶエンハンサは、電流供給導体８に関係して位置づけられるので、容量性結合が達成される。
第２図に詳細に示される前記ＵＶエンハンサは、壁６及び内部電極７を有する。ＵＶエンハンサ５の壁６が、ここではセラミック材料でできている。前記ＵＶエンハンサの実際においては、この壁は、高濃度の焼結多結晶質のＡｌ2Ｏ3からできている。
前記ＵＶエンハンサの内部電極７は、ガス封止したリードスルー路７１を介して前記ＵＶエンハンサの前記壁を通るリードスルー導体７０と接続される。前記リードスルー導体は、実際の実施例ではニオブロッド（Ｎｂ  ｒｏｄ）である。タングステンロッド（Ｗ  ｒｏｄ）が、前記電極として用いられる。前記Ｎｂロッド自体が前記電極として働かせることも択一的に可能である。実際には、前記ＵＶエンハンサは、外部長１２ｍｍ、外径２ｍｍ、内径０．６６ｍｍ及び最大内長９ｍｍである。２ｍｍの長さと１７０μｍの直径の前記Ｗロッドは、６２０μｍの直径のＮｂリードスルー導体に溶接されている。前記ＵＶエンハンサは、１７０ｍｂａｒの充填圧力のＡｒを有する。好ましくは、この充填圧力は、５０ｍｂａｒと３００ｍｂａｒとの間にある。比較すると、石英又は石英ガラスを具備する商業的に利用可能なＵＶエンハンサは、外長２５ｍｍ及び直径５ｍｍを有することは注意されたい。
一連のランプが、点火テストされた。これらのランプは、Philips製の３９ＷのＣＤＭランプであり、点火回路を具備する安定化バラストを介して２２０Ｖ、５０Ｈｚの供給電圧源と接続されている。これらのランプは、メタルハライドを有する充填材を備えるセラミック放電容器を有する。前記放電容器の前記セラミック材料は、ランプ動作中８００℃から１０００℃の間の温度に達する。前記点火回路は、Philips製のＳｎ５７タイプのスタータを有する。このスタータは、高圧放電ランプを点火するために広く用いられ、最大値２．３ｋＶでパルス幅１０μｓの点火パルスを供給する。これら一連のランプの多くは、上述の実施例のセラミックＵＶエンハンサを具備していた。これらランプの他のグループは、充填材Ａｒ及び０．５ｍｇのＨｇを持つセラミックＵＶエンハンサを具備していた。比較するために、従来技術に係るＵＶエンハンサを有するランプとＵＶエンハンサを持たないランプとが、同じ点火試験を受けた。前記ＵＶエンハンサは、ランプの電流供給導体の一方と容量的に結合されている。前記テストの結果は、セラミックＵＶエンハンサを有するランプが１秒の１０分の数秒内に全て点火することを示している。このことは、前記ＵＶエンハンサ内のブレークダウン及び続いて前記放電容器内のブレークダウンの両方が、１秒の１０分の数秒内に起こることを意味する。ＵＶエンハンサを有さないランプは点火せず、従来技術に係るＵＶエンハンサを有するランプの幾つかだけが、実に数秒の大きな遅れで点火する。７０Ｗの電力定格で石英ガラス放電容器を有するメタルハライドランプに同様のテストをすると、同様な結果を得た。前記ＵＶエンハンサは、本発明に係るランプの高速且つ信頼性ある点火を促進するために、前記放電容器から非常に小さい距離の所に位置すべきである。このことは、例えば前記ＵＶエンハンサが前記放電容器から距離ｄの所に平行に位置されている、第１図に示されているやり方で可能である。好ましくは、このような配置の距離ｄは、せいぜい１０ｍｍである。このＵＶエンハンサの他の好ましい位置は、第３図に概略的に示されているように、前記放電容器の長軸方向に（例えば４５度の）ある角度で前記リードスルー導体に隣接する電極の後方にある。前記放電容器からのこのような小さな距離に前記ＵＶエンハンサを位置づけることは、当該ＵＶエンハンサの壁の非常に良好な熱抵抗を必要とする。前記ＵＶエンハンサの前記壁の温度は、ランプ動作中、特にランプがセラミック放電容器を有するならば、長い期間６００℃より上にあるだろう。
【図１】
0004593693.tif 000002
【図２】
0004593693.tif 000003
【図３】
0004593693.tif 000004